(57)【要約】【課題】児収容室内に供給する水蒸気の吹き出し口近傍の清拭および消毒を確実かつ容易に行うことができる保育器を提供する。【解決手段】外気から遮断された児収容室と、この児収容室に連通する調和槽を備え、この調和槽を通じて空気を前記児収容室に循環させる空調装置とを有する保育器であって、前記空調装置は、前記調和槽中の空気を移動させるファンと、前記調和槽中の空気を加熱するヒータと、前記調和槽を構成する調和槽構成部材に対して着脱可能に設けられて前記調和槽中の空気に水蒸気を供給する加湿器とを備え、前記加湿器と前記調和槽とを連通させる水蒸気供給路部材が、前記調和槽構成部材を貫通して形成された水蒸気導入口に対して、着脱可能に備えられる。【選択図】図１１
2014004157.tif 000002
【特許請求の範囲】
【請求項１】
外気から遮断された児収容室と、この児収容室に連通する調和槽を備え、この調和槽を通じて空気を前記児収容室に循環させる空調装置とを有する保育器であって、
前記空調装置は、前記調和槽中の空気を移動させるファンと、前記調和槽中の空気を加熱するヒータと、前記調和槽を構成する調和槽構成部材に対して着脱可能に設けられて前記調和槽中の空気に水蒸気を供給する加湿器とを備え、
前記加湿器と前記調和槽とを連通させる水蒸気供給路部材が、前記調和槽構成部材を貫通して形成された水蒸気導入口を前記加湿器の離脱時に閉塞状態、前記加湿器の装着時に開放状態とするとともに、この水蒸気導入口に対して着脱可能に備えられることを特徴とする保育器。
【請求項２】
請求項１に記載の保育器であって、
前記空調装置は、前記児収容室の下部に設けられ、
前記水蒸気導入口は略水平方向に延びる前記調和槽構成部材を略上下方向に貫通し、
この水蒸気導入口に取り付けられる前記水蒸気供給路部材は、略上下方向に沿う軸線を有し前記水蒸気導入口に対して上方から挿入される略筒状の第１部材と、この第１部材の下端に前記調和槽構成部材を挟んで下方から着脱可能に取り付けられ略平坦な下面を有する第２部材とを備え、前記水蒸気導入口に対して略上下方向に所定幅で移動可能に構成され、
前記水蒸気導入口の上部に、上下することによりこの水蒸気導入口を開閉するキャップ部材が取り付けられ、
前記加湿器は、前記第２部材の前記下面に当接する水蒸気供給口を上端部に有する水蒸気塔を備え、前記調和槽構成部材に対して装着されることにより前記水蒸気塔が前記水蒸気供給路部材を上方へ押し上げ、前記キャップ部材を上方へ移動させて前記水蒸気導入口を開放させるとともに前記水蒸気供給口を前記水蒸気導入口に接続させる
ことを特徴とする請求項１に記載の保育器。
【発明の詳細な説明】
【技術分野】
【０００１】
本発明は、外気から遮断された児収容室内で児を保育できる保育器に関する。
【背景技術】
【０００２】
未熟児を外気から遮断した環境で保育する閉鎖型の保育器には、児を収容する児収容室の温度および湿度を常にほぼ一定かつ衛生的に維持するために、外部から空気を濾過しながら導入するとともに、加温器や加湿器によって温度および湿度が適切に調整された空気を児収容室内に供給して循環させる空調装置が内蔵される。このような空調装置の加湿器について、水の供給を容易にするなどの目的のため、保育器本体に対して着脱可能に構成することが提案されている。
【０００３】
例えば特許文献１には、着脱可能な加湿器を備える保育器が記載されている。この保育器は、水蒸気を供給する連通口を開閉可能な弁を備えることにより、加湿器が離脱している状態においてこの連通口を通じて児収容室と外界との連通が防止されており、これにより児収容室の環境を最適に維持することができる。
【先行技術文献】
【特許文献】
【０００４】
【特許文献１】特開２００１−７０３６７号公報
【発明の概要】
【発明が解決しようとする課題】
【０００５】
このような保育器に備えられる加温器としては、加湿中に水蒸気の吹き出し口が高温となることにより、例えば超音波式加湿器に比較すると菌が繁殖しにくい加温式加湿器が一般的に用いられる。しかしながら、加温式を用いる場合であっても、加湿していないときには水蒸気の吹き出し口が結露して菌が繁殖しやすくなるおそれがある。したがって、抵抗力の弱い児を収容する保育器内の衛生を保つために、菌が繁殖しやすい水蒸気の吹き出し口の清拭および消毒を確実に行う必要がある。
【０００６】
本発明は、このような事情に鑑みてなされたもので、児収容室内に供給する水蒸気の吹き出し口近傍の清拭および消毒を確実かつ容易に行うことができる保育器を提供することを目的とする。
【課題を解決するための手段】
【０００７】
本発明は、外気から遮断された児収容室と、この児収容室に連通する調和槽を備え、この調和槽を通じて空気を前記児収容室に循環させる空調装置とを有する保育器であって、前記空調装置は、前記調和槽中の空気を移動させるファンと、前記調和槽中の空気を加熱するヒータと、前記調和槽を構成する調和槽構成部材に対して着脱可能に設けられて前記調和槽中の空気に水蒸気を供給する加湿器とを備え、前記加湿器と前記調和槽とを連通させる水蒸気供給路部材が、前記調和槽構成部材を貫通して形成された水蒸気導入口を前記加湿器の離脱時に閉塞状態、前記加湿器の装着時に開放状態とするとともに、この水蒸気導入口に対して着脱可能に備えられる。
【０００８】
この保育器によれば、加湿器と調和槽とを接続する水蒸気供給路部材を水蒸気導入口から取り外すことができるので、水蒸気導入口周辺の清拭および消毒を確実に行うことができる。また、水蒸気導入口が開放されるのは加湿器の装着時のみであるので、加湿器が接続されていない状態であっても水蒸気導入口が開放状態とならず、児収容室を外気に対して遮断することができる。
【０００９】
この保育器において、前記空調装置は前記児収容室の下部に設けられ、前記水蒸気導入口は略水平方向に延びる前記調和槽構成部材を略上下方向に貫通し、この水蒸気導入口に取り付けられる前記水蒸気供給路部材は、略上下方向に沿う軸線を有し前記水蒸気導入口に対して上方から挿入される略筒状の第１部材と、この第１部材の下端に前記調和槽構成部材を挟んで下方から着脱可能に取り付けられ略平坦な下面を有する第２部材とからなり、前記水蒸気導入口に対して略上下方向に所定範囲で移動可能に構成され、前記水蒸気導入口の上部に、上下することによりこの水蒸気導入口を開閉するキャップ部材が取り付けられ、前記加湿器は、前記第２部材の前記下面に当接する水蒸気供給口を上端部に有する水蒸気塔を備え、前記調和槽構成部材に対して装着されることにより前記水蒸気塔が前記水蒸気供給路部材を上方へ押し上げ、前記キャップ部材を上方へ移動させて前記水蒸気導入口を開放させるとともに前記水蒸気供給口を前記水蒸気導入口に接続させることが好ましい。
【００１０】
この保育器によれば、水蒸気導入口を開閉する水蒸気供給路部材を水蒸気導入口に対して容易に着脱できるので、水蒸気導入口周辺の清拭および消毒を容易に行うことができる。また、児収容室を外気に対して遮断する水蒸気導入口のキャップ部材の開閉構造が簡素であるので、消毒および清拭を容易かつ確実に行うことができる。
【発明の効果】
【００１１】
本発明の保育器によれば、児収容室内に供給する水蒸気の吹き出し口近傍の清拭および消毒を確実かつ容易に行うことができ、抵抗力の弱い児の環境を衛生的に保つことができる。
【図面の簡単な説明】
【００１２】
【図１】本発明の保育器の外形を示す斜視図である。
【図２】図１の保育器の外形を示す側面図である。
【図３】図２の左方から見た保育器の要部を示す正面図である。
【図４】図３のＩＶ−ＩＶ線に沿う保育器の要部の断面図である。
【図５】児収容室の下部に配置された臥床台を取り外し、床板を露出させた状態の保育器を示す斜視図である。
【図６】児収容室の床板を取り外し、調和槽および空調装置を露出させた状態の保育器を示す斜視図である。
【図７】図３のＶＩＩ−ＶＩＩ線に沿う保育器の要部の断面図である。
【図８】この保育器の空調装置に装備される加湿器を示す斜視図である。
【図９】図８に示す加湿器の断面図である。
【図１０】保育器の基台内に加湿器を装着して基台扉を閉じる状態を示す断面図である。
【図１１】保育器の基台扉を開いて基台内から加湿器を取り外す状態を示す断面図である。
【図１２】この保育器の空調装置における水蒸気導入口近傍を示す断面図である。
【図１３】水蒸気導入口に取り付けられる水蒸気供給路部材の構成を示す断面図である。
【図１４】加湿器の水蒸気塔によって水蒸気供給路部材が上方へ押し上げられる状態を示す断面図である。
【図１５】水蒸気供給路部材を水蒸気導入口から取り外し、ヒータを移動させて水蒸気導入口近傍の清拭および消毒を容易にした状態の水蒸気導入口近傍を示す断面図である。
【発明を実施するための形態】
【００１３】
以下、本発明の保育器の一実施形態について、図面を参照して説明する。保育器１０は、図１，２に示すように、キャスター１１により移動自在な架台１２と、架台１２の上に垂直に立設された支柱１３と、支柱１３の上端に設けられたフレーム１４と、フレーム１４の上に設置された基台１５と、基台１５の上に設けられ児収容室１６を囲むフード１７と、フレーム１４の一端部でフード１７の側方位置に垂直に設けられた２本のガイド柱１８，１９と、ガイド柱１８の上端に取り付けられフード１７の天井を構成するキャノピー（天蓋）２０と、ガイド柱１９の上端に取り付けられた加熱器２１とを備える。図３に保育器１０の要部正面図、図４に保育器１０の要部断面図を示す。
【００１４】
フード１７は、児を寝かせる臥床台２２が設置される床板２３と、児の左右、足側および頭側に配置される各処置扉２４と、これら処置扉２４により囲まれた児収容室１６の上方を閉塞するキャノピー２０とにより、ほぼ直方体状に構成される。フード１７を形成する床板２３、各処置扉２４およびキャノピー２０のそれぞれの間にはシーリング部材が配置されており、これにより外気から遮断された児収容室１６を形成することができる。また、各処置扉２４およびキャノピー２０はほぼ全体が透明樹脂によって形成されており、児収容室１６内の児を外部から目視確認できる。
【００１５】
なお、図１〜４にはキャノピー２０を下降させてフード１７を閉じた状態の保育器１０を示したが、この保育器１０においては、キャノピー２０を上昇させて児収容室１６の上方を開放したり、さらに足側を除く各処置扉を開放したりできる。この場合、加熱器２１を用いることにより児収容室１６を加熱することができる。また、フード１７を閉鎖した閉鎖型保育器の状態においては、各処置扉２４に設けられた手入れ窓２５を通じて、各処置扉２４を閉鎖したまま児の処置を行うことができる。
【００１６】
児収容室１６の下部すなわち基台１５の内部には、児収容室１６に連通する調和槽２６を備え、この調和槽２６を通じて温度および湿度を調和させた空気を児収容室１６に循環させる空調装置２７が備えられている。空調装置２７は、調和槽２６中の空気を移動させるファン２８と、調和槽２６中の空気を加熱するヒータ２９と、調和槽２６を構成する調和槽底板（調和槽構成部材）３０に対して着脱可能に設けられて調和槽２６中の空気に水蒸気を供給する加湿器４０とを備え、児収容室１６に対して調温および調湿した空気を循環させることができる。
【００１７】
図５に、臥床台２２および各処置扉２４を取り外して床板２３を露出させた状態を示す。保育器１０においてはこの床板２３によって児収容室１６と空調装置２７とが隔てられている。床板２３の下には調和槽２６が形成されており、床板２３において後方寄り（図２における右方寄り）に設けられた開口部２３Ａを通じて調和槽２６に対して児収容室１６からの空気が取り入れられるとともに、この調和槽２６において調温・調湿された空気が床板２３の両側部に設けられた開口部２３Ｂを通じて調和槽２６から児収容室１６へ供給される。
【００１８】
図６に、さらに床板２３を取り外した状態を示す。床板２３の下部に配置された調和槽底板３０には、床板２３の下面との間に空間を形成するように設けられた第１凹部３０Ａと、この第１凹部３０Ａの底面からさらに陥没してファン２８を収容する略円筒状の第２凹部３０Ｂと、この第２凹部３０Ｂに連続して保育器１０の長手方向に沿って形成され、ヒータ２９を収容する略矩形体状の第３凹部３０Ｃとが設けられている。また、調和槽底板３０の第２凹部３０Ｂ近傍には、外気取入口３０Ｄが設けられている。さらに、調和槽底板３０の第３凹部３０Ｃの前方（下流側）には、加湿器４０に接続する水蒸気導入口３２が、略水平方向に延びる調和槽底板３０略上下方向に貫通して設けられている。
【００１９】
この調和槽底板３０と床板２３との間に形成されている調和槽２６において、ファン２８によってガイド柱１８，１９側から吸引された児収容室１６内の空気と外気取入口３０Ｄからの外気は、第１凹部３０Ａを通じて第２凹部３０Ｂに導入されると、第３凹部３０Ｃに流れ込んでヒータ２９によって加熱され、さらに水蒸気導入口３２を通じて加湿器４０から供給される水蒸気によって加湿された後、第１凹部３０Ａを通じて児収容室１６の側方側の床板２３と調和槽底板３０との間から児収容室１６内へ供給される。図７に、床板２３および調和槽底板３０によって形成される調和槽２６、ヒータ２９、および加湿器４０によって構成される空調装置２７における空気の流れを示す。
【００２０】
空調装置２７の加湿器４０を図８および図９に示す。加湿器４０は、調和槽底板３０の第３凹部３０Ｃの下流側端部に形成された水蒸気導入口３２に接続する水蒸気供給口４０ａを有する水蒸気塔４１および給水タンク４２が加湿槽４３に取り付けられてなる。この加湿器４０において、給水タンク４２から加湿槽４３に供給された水が水蒸気塔４１の内部に配置されたカートリッジヒータ４４によって加熱されると、発生した水蒸気が水蒸気塔４１の水蒸気供給口４０ａから排出される。なお、加湿槽４３の貯水部分底面には水位センサ４３Ａが取り付けられており、カートリッジヒータ４４に供給される水量のチェックが行われている。
【００２１】
この加湿器４０の給水タンク４２は、図９に示すように、水を保持するタンク本体４２Ａと、このタンク本体４２Ａの下部に取り付けられたタンクキャップ４２Ｂと、タンクキャップ４２Ｂに設けられた給水部４２ａを開閉する軸部材４２Ｃとを備えている。軸部材４２Ｃは、タンクキャップ４２Ｂに対して上下にスライド可能かつ下方に向けて押圧状態で保持されており、タンクキャップ４２Ｂに対して上昇することにより給水部４２ａを開放するとともに、下降することにより給水部４２ａを閉鎖する。
【００２２】
この給水タンク４２が加湿槽４３に取り付けられると、加湿槽４３に設けられた凸部４３ａによって軸部材４２Ｃがタンクキャップ４２Ｂに対して上昇し、給水部４２ａが開放され、タンク本体４２Ａ内の水が加湿槽４３に供給される。加湿槽４３に供給された水の水位は水位センサ４３Ａによって検出されており、水位に異常が生じた際にはカートリッジヒータ４４への給電を停止するなどの制御が行われる。
【００２３】
水蒸気塔４１および給水タンク４２が取り付けられた加湿槽４３は、略トレイ状の下蓋４５上に取り付けられている。さらに下蓋４５には、カートリッジヒータ４４に給電するための給電コネクタ４６と、加湿器４０を基台１５（調和槽底板３０）に対して確実に装着するハンドル４７とが設けられている。ハンドル４７は、図８に示すように、取付軸４７ａを中心として回動可能に取り付けられ、また取付軸４７ａに取り付けられたねじりコイルバネ４７ｂによって下蓋４５から離間する方向に回転付勢されている。
【００２４】
図７に示すように、基台１５に加湿器４０が内蔵された状態で基台扉３１が閉じられると、ハンドル４７は基台扉３１に押されて回転し、ねじりコイルバネ４７ｂによって加湿器４０を調和槽底板３０に向けて付勢する。図
【００２５】
加湿器４０を装着する際には、図１０に示すように、基台１５内部に挿入した加湿器４０を、給電コネクタ４６のコネクタピン４６ａ先端が基台１５内部に設けられたプラグ５０に当接するまで、図の右方に向けて水平方向に押し込み、図に矢印で示すように基台扉３１を閉める。この基台扉３１を閉めることにより、ハンドル４７が取付軸４７ａを中心として回動しながら基台扉３１に押され、加湿器４０が水平方向に移動してさらに押し込まれる。
【００２６】
加湿器４０が押し込まれることにより、図７に示すように、給電コネクタ４６とプラグ５０とが接続されてカートリッジヒータ４４が加熱可能となるとともに、水蒸気塔４１の上端面４１ａが水蒸気供給路部材５１の下に入り込んで水蒸気供給路部材５１を押し上げ、さらにスチームキャップ（キャップ部材）３４が押し上げられて開かれ、加湿器４０の水蒸気供給口４０ａと調和槽２６とが連通し、水蒸気を供給可能な状態となる（図１２参照）。
【００２７】
なお、図１０において、２点鎖線で囲まれた部分は、ハンドル４７の取付軸４７ａと基台扉３１との関係を示すため、他の部分とは異なる位置における断面を示す。
【００２８】
一方、加湿器４０を取り外す際には、図１１に示すように、基台扉３１を開くことにより、基台扉３１の爪３１ａ（図１０参照）が加湿器４０の溝（図示せず）に係合して回動し、この爪３１ａに押されて加湿器４０が引き出されるとともに、プラグ５０に対する給電コネクタ４６の係合が解除される。また、基台扉３１が開放されると、ねじりコイルバネ４７ｂ（図８参照）によって付勢されたハンドル４７が回動して指を掛けるスペースが形成されるので、このハンドル４７を掴んで加湿器４０を水平方向に引き出すことができる。
【００２９】
加湿器４０が引き出されることにより、水蒸気塔４１が図１１の左方に移動し、この水蒸気塔４１によって下方から支えられていた水蒸気供給路部材５１は下方からの支えを失って下方に移動する（図１４参照）。これにより、水蒸気供給路部材５１によって押し上げられていたスチームキャップ３４も回動し、水蒸気導入口３２が閉じられ、調和槽２６は外気から遮断された状態に維持される。
【００３０】
加湿器４０の着脱に伴う水蒸気導入口３２の開閉について、より具体的に説明する。図１２に、加湿器４０の水蒸気供給口４０ａと調和槽底板３０の水蒸気導入口３２との接続状態を示す。水蒸気導入口３２に取り付けられる水蒸気供給路部材５１は、略上下方向に沿う軸線を有し水蒸気導入口３２に対して上方から挿入される略筒状のスチームゲート（第１部材）５２と、スチームゲート５２の下端に調和槽底板３０を挟んで下方から着脱可能に取り付けられるスチームスライダ（第２部材）５３と、水蒸気導入口３２の下部外周から下方に向けて突出する環状の凸部３２ａに押圧されることにより調和槽底板３０と水蒸気供給路部材５１との間を気密にするパッキン５４とを備える。
【００３１】
すなわち、水蒸気供給路部材５１は、調和槽底板３０を貫通して形成された水蒸気導入口３２に対して着脱可能に備えられ、加湿器４０と調和槽２６とを連通させている。図１３に示すように、略円筒状に形成されたスチームゲート５２の上部には、調和槽底板３０のフランジ受け面３３上に載置されるフランジ部５２ａが設けられている。フランジ部５２ａの最大外径が水蒸気導入口３２の最大径よりも大きいため、調和槽底板３０の上方から水蒸気導入口３２に挿入されたスチームゲート５２は、このフランジ部受け面３３によって下方への移動が制限され、水蒸気導入口３２を通過して落ちることはない。
【００３２】
一方、スチームスライダ５３は、スチームゲート５２の外周面に環状に設けられた溝部５２ｂに嵌合する爪部５３ａを備え、スチームゲート５２の円筒面５２ｃを貫通させる略環状に形成され、上方に開放された環状の凹部５３ｂに環状のパッキン５４を収容した状態で、スチームゲート５２に対して調和槽底板３０を挟んで下方から取り付けられる。スチームスライダ５３の下面には、略水平なスライド面５３ｃと、このスライド面５３ｃの外周側に連続し、上方に向けて拡径するテーパ面５３ｄとが設けられている。
【００３３】
また、調和槽底板３０には、水蒸気導入口３２の上部に、この水蒸気導入口３２を開閉するスチームキャップ（キャップ部材）３４が取り付けられている（図１４参照）。スチームキャップ３４は、調和槽底板３０に対する水蒸気供給路部材５１の上下移動に伴い、回動軸３４ａを中心として回動して上下し、加湿器４０が装着されている際には図１２に示すように水蒸気供給路部材５１によって押し上げられて水蒸気導入口３２を開放させ、加湿器４０が取り外されている際には図１４に示すように下降して水蒸気導入口３２を閉鎖させる。
【００３４】
スチームゲート５２とスチームスライダ５３とは、図１４に示すように、溝部５２ｂと爪部５３ａとの嵌合により調和槽底板３０を挟むように互いに取り付けられることにより水蒸気供給路部材５１を構成し、調和槽底板３０の水蒸気導入口３２に保持される。そして、水蒸気供給路部材５１は、スチームゲート５２の円筒面５２ｃと水蒸気導入口３２の円筒面３２ｂとの嵌合によって水平方向の移動が規制された状態で、フランジ部５２ａがフランジ受け面３３上に載置される下限位置と、パッキン５４が凸部３２ａに押圧される上限位置との間で、略鉛直方向に移動が可能となっている。
【００３５】
図１４は、水蒸気供給路部材５１が下限位置にある状態を示している。この状態において、加湿器４０を水平方向に押し込むことにより、スチームスライダ５３のテーパ面５３ｄが水蒸気塔４１の上端部によって押し上げられる。さらに加湿器４０を押し込むと、図１２に示すように、略水平に形成された水蒸気塔４１の上端面４１ａがスチームスライダ５３のスライド面５３ｃを下方から支える状態となり、パッキン５４が凸部３２ａに押し付けられる。また、上昇したスチームゲート５２によってスチームキャップ３４が押し上げられる。これにより、水蒸気塔４１の内部と調和槽２６とが気密に接続され、児収容室１６および調和槽２６が外気から遮断された状態で、加湿器４０による加湿が可能となる。
【００３６】
反対に、加湿器４０を水平方向に引き出すと、水蒸気塔４１の上端面４１ａによる支えを失った水蒸気供給路部材５１は下限位置まで下降し、スチームキャップ３４も下降して水蒸気導入口３２が閉鎖される。すなわち、加湿器４０が取り外された状態では、水蒸気導入口３２は閉鎖され、児収容室１６および調和槽２６は外気から遮断された状態となる。
【００３７】
図１５に示すように、ヒータ２９は略水平方向に延びる回転軸２９ａを介して調和槽底板３０に取り付けられており、回転軸２９ａを中心として回動することができる。これにより、水蒸気導入口３２の周辺を露出させることができ、水蒸気供給路部材５１の着脱が可能となる。そして、水蒸気供給路部材５１をスチームゲート５２とスチームスライダ５３とに分解して調和槽底板３０から取り外すことにより、水蒸気導入口３２の周辺を容易かつ確実に清拭および消毒することができる。
【００３８】
以上説明したように、本発明の保育器によれば、空調装置の調和槽と加湿器とを接続する水蒸気供給路部材を調和槽構成部材（調和槽底板）から取り外すことができるので、水蒸気導入口周辺の清拭および消毒を確実に行うことができる。また、水蒸気導入口が開放されるのは加湿器の装着時のみであるので、児収容室を外気に対して遮断することができる。また、児収容室を外気に対して遮断する水蒸気導入口のキャップ部材の開閉構造が簡素であるので、消毒および清拭を容易かつ確実に行うことができる。
【００３９】
なお、本発明は前記実施形態の構成のものに限定されるものではなく、細部構成においては、本発明の趣旨を逸脱しない範囲において種々の変更を加えることが可能である。
【符号の説明】
【００４０】
１０  保育器
１１  キャスター
１２  架台
１３  支柱
１４  フレーム
１５  基台
１６  児収容室
１７  フード
１８，１９  ガイド柱
２０  キャノピー（天蓋）
２１  加熱器
２２  臥床台
２３  床板
２３Ａ，２３Ｂ  開口部
２４  処置扉
２５  手入れ窓
２６  調和槽
２７  空調装置
２８  ファン
２９  ヒータ
２９ａ  回転軸
３０  調和槽構成部材（調和槽底板）
３０Ａ  第１凹部
３０Ｂ  第２凹部
３０Ｃ  第３凹部
３０Ｄ  外気取入口
３１  基台扉
３１ａ  爪
３２  水蒸気導入口
３２ａ  凸部
３２ｂ  円筒面
３３  フランジ受け面
３４  キャップ部材（スチームキャップ）
３４ａ  回動軸
４０  加湿器
４０ａ  水蒸気供給口
４１  水蒸気塔
４１ａ  上端面
４２  給水タンク
４２Ａ  タンク本体
４２Ｂ  タンクキャップ
４２Ｃ  軸部材
４２ａ  給水口
４３  加湿槽
４３Ａ  水位センサ
４３ａ  凸部
４４  カートリッジヒータ
４５  下蓋
４６  給電コネクタ
４６ａ  コネクタピン
４７  ハンドル
４７ａ  取付軸
４７ｂ  ねじりコイルバネ
５０  プラグ
５１  水蒸気供給路部材
５２  第１部材（スチームゲート）
５２ａ  フランジ部
５２ｂ  溝部
５２ｃ  円筒面
５３  第２部材（スチームスライダ）
５３ａ  爪部
５３ｂ  凹部
５３ｃ  スライド面
５３ｄ  テーパ面
５４  パッキン
【図１】
2014004157.tif 000003
【図２】
2014004157.tif 000004
【図３】
2014004157.tif 000005
【図４】
2014004157.tif 000006
【図５】
2014004157.tif 000007
【図６】
2014004157.tif 000008
【図７】
2014004157.tif 000009
【図８】
2014004157.tif 000010
【図９】
2014004157.tif 000011
【図１０】
2014004157.tif 000012
【図１１】
2014004157.tif 000013
【図１２】
2014004157.tif 000014
【図１３】
2014004157.tif 000015
【図１４】
2014004157.tif 000016
【図１５】
2014004157.tif 000017